(57)【要約】【課題】エアフィルタの性能の維持と、省エネルギーとを両立できる空気清浄システムを提供する。【解決手段】空気清浄システムは、エアフィルタ５を再生する再生装置と、排気流と給気流との間で熱を交換する熱交換装置１４と、気流の経路として、第１の経路、第２の経路、第３の経路、及び第４の経路を形成可能な経路形成装置１８と、を備える。第１の経路は、室内から吸い込まれてエアフィルタ５を通過して室内へ戻る空気が通る経路である。第２の経路は、再生装置の作動時に空気がエアフィルタ５を通過する経路である。第３の経路は、排気流が熱交換装置１４を通過する経路である。第４の経路は、給気流が熱交換装置１４を通過する経路である。再生装置の作動時に第２の経路から第３の経路へ空気を流れさせることが可能である。【選択図】図５
2018035984.tif 000002
【特許請求の範囲】
【請求項１】
空気中の物質を捕集するエアフィルタと、
前記エアフィルタを再生する再生装置と、
室内から室外への排気流と、室外から室内への給気流との間で熱を交換する熱交換装置と、
気流の経路として、第１の経路、第２の経路、第３の経路、及び第４の経路を形成可能な経路形成装置と、
を備え、
前記第１の経路は、室内から吸い込まれて前記エアフィルタを通過して室内へ戻る空気が通る経路であり、
前記第２の経路は、前記再生装置の作動時に空気が前記エアフィルタを通過する経路であり、
前記第３の経路は、前記排気流が前記熱交換装置を通過する経路であり、
前記第４の経路は、前記給気流が前記熱交換装置を通過する経路であり、
前記再生装置の作動時に前記第２の経路から前記第３の経路へ空気を流れさせることが可能である、
空気清浄システム。
【請求項２】
前記エアフィルタを通過する前記第４の経路を形成可能である請求項１に記載の空気清浄システム。
【請求項３】
前記第１の経路の風量は、前記第３の経路の風量より大きく、かつ、前記第４の経路の風量より大きい請求項１または請求項２に記載の空気清浄システム。
【請求項４】
前記経路形成装置は、前記排気流が前記熱交換装置を通過しない第５の経路を形成可能であり、
前記再生装置の作動時に前記第２の経路から前記第５の経路へ空気を流れさせることが可能である請求項１から請求項３のいずれか一項に記載の空気清浄システム。
【請求項５】
前記排気流が前記エアフィルタを通過しない前記第３の経路を形成可能である請求項１から請求項４のいずれか一項に記載の空気清浄システム。
【請求項６】
室内汚染濃度の情報を取得する手段と、
前記室内汚染濃度が基準に比べて低い場合には、前記第１の経路に通風せず、前記第３の経路及び前記第４の経路に通風する制御手段と、
を備える請求項１から請求項５のいずれか一項に記載の空気清浄システム。
【請求項７】
室内温度、室内湿度、室内汚染濃度、室外温度、室外湿度、及び室外汚染濃度、のうちの少なくとも一つの情報を取得する手段と、
前記情報に応じて、前記第１の経路、前記第２の経路、前記第３の経路、及び前記第４の経路のうちの少なくとも一つの経路の風量を変更する手段と、
を備える請求項１から請求項６のいずれか一項に記載の空気清浄システム。
【請求項８】
室外空気を前記エアフィルタを通過させて室内に供給する動作と、
前記第１の経路により室内空気を前記エアフィルタを通過させて室内に還流させる動作と、
前記熱交換装置による熱交換をしつつ前記排気流及び前記給気流を発生させる動作と、
前記熱交換装置による熱交換をせずに前記排気流及び前記給気流を発生させる動作と、
前記排気流の風量より前記給気流の風量が高くなるように前記排気流及び前記給気流を発生させる動作と、
前記排気流の風量より前記給気流の風量が低くなるように前記排気流及び前記給気流を発生させる動作と、
前記排気流の風量と前記給気流の風量とが実質的に等しくなるように前記排気流及び前記給気流を発生させる動作と、
のうち少なくとも２つの動作を実行可能であり、
室内温度、室内湿度、室内汚染濃度、室外温度、室外湿度、及び室外汚染濃度、のうちの少なくとも一つの情報を取得する手段と、
前記情報に応じて、前記少なくとも２つの動作のうちから実行する動作を選択する手段と、
を備える請求項１から請求項７のいずれか一項に記載の空気清浄システム。
【発明の詳細な説明】
【技術分野】
【０００１】
本発明は、空気清浄システムに関する。
【背景技術】
【０００２】
室内で発生したり、外部から侵入した汚染のうち、空気の流れに乗って拡散しやすい、臭気成分、ガス、浮遊する微生物及びウイルスなどを除去するために、室内空気を吸引してこれらの空気中の汚染をエアフィルタに捕集する手段が用いられる。長期間にわたってエアフィルタの性能を維持するために、捕集した汚染物を分解したり、加熱などの手段で汚染物を脱着して、屋外に排気する再生手段を用いることができる。
【０００３】
下記特許文献１には、換気装置において、活性種あるいはヒータ加熱により脱臭フィルタを再生する技術が開示されている。下記特許文献２には、揮発性有機化合物を除去する清浄フィルタと、全熱交換器とを備える換気装置が開示されている。下記特許文献３には、熱交換器を有する換気装置にて、脱臭／殺菌フィルタが備えられ、換気モードでは熱交換器を通しての吸排気、空気清浄モードでは脱臭／殺菌フィルタを介した室内空気の循環を行う構成が考案されている。
【先行技術文献】
【特許文献】
【０００４】
【特許文献１】特開２０１１−２１４８号公報
【特許文献２】特開２０１３−９２２７１号公報
【特許文献３】特開２００５−４３０３５号公報
【発明の概要】
【発明が解決しようとする課題】
【０００５】
しかしながら、上述した従来の技術では、エアフィルタの再生にエネルギーを用いた場合に、エネルギーの消費が増加するという問題を解決できない。
【０００６】
本発明は、上述のような課題を解決するためになされたもので、エアフィルタの性能の維持と、省エネルギーとを両立できる空気清浄システムを提供することを目的とする。
【課題を解決するための手段】
【０００７】
本発明に係る空気清浄システムは、空気中の物質を捕集するエアフィルタと、エアフィルタを再生する再生装置と、室内から室外への排気流と、室外から室内への給気流との間で熱を交換する熱交換装置と、気流の経路として、第１の経路、第２の経路、第３の経路、及び第４の経路を形成可能な経路形成装置と、を備え、第１の経路は、室内から吸い込まれてエアフィルタを通過して室内へ戻る空気が通る経路であり、第２の経路は、再生装置の作動時に空気がエアフィルタを通過する経路であり、第３の経路は、排気流が熱交換装置を通過する経路であり、第４の経路は、給気流が熱交換装置を通過する経路であり、再生装置の作動時に第２の経路から第３の経路へ空気を流れさせることが可能であるものである。
【発明の効果】
【０００８】
本発明の空気清浄システムによれば、エアフィルタを再生する再生装置の作動時に空気がエアフィルタを通過した排気流と、室外から室内への給気流との間で熱を交換としたことで、エアフィルタの性能の維持と、省エネルギーとを両立することが可能となる。
【図面の簡単な説明】
【０００９】
【図１】実施の形態１による空気清浄システムが備える第１ユニットを示す模式的な断面図である。
【図２】実施の形態１による空気清浄システムが備える第１ユニットを示す模式的な断面図である。
【図３】実施の形態１による空気清浄システムが備える第２ユニット及び第３ユニットを示す模式的な断面図である。
【図４】実施の形態１による空気清浄システムの機能ブロック図である。
【図５】実施の形態２による空気清浄システムを示す模式的な断面図である。
【図６】実施の形態２による空気清浄システムを示す模式的な断面図である。
【図７】実施の形態２による空気清浄システムを示す模式的な断面図である。
【図８】実施の形態２による空気清浄システムを示す模式的な断面図である。
【図９】実施の形態２による空気清浄システムを示す模式的な断面図である。
【図１０】実施の形態２による空気清浄システムを示す模式的な断面図である。
【図１１】実施の形態３による空気清浄システムを示す模式的な断面図である。
【図１２】実施の形態３による空気清浄システムを示す模式的な断面図である。
【図１３】実施の形態３による空気清浄システムを示す模式的な断面図である。
【図１４】実施の形態３による空気清浄システムを示す模式的な断面図である。
【図１５】実施の形態３による空気清浄システムを示す模式的な断面図である。
【図１６】実施の形態３による空気清浄システムを示す模式的な断面図である。
【図１７】実施の形態４による空気清浄システムを示す模式的な断面図である。
【図１８】実施の形態４による空気清浄システムを示す模式的な断面図である。
【図１９】実施の形態４による空気清浄システムを示す模式的な断面図である。
【図２０】実施の形態４による空気清浄システムを示す模式的な断面図である。
【図２１】実施の形態４による空気清浄システムを示す模式的な断面図である。
【図２２】実施の形態４による空気清浄システムを示す模式的な断面図である。
【図２３】実施の形態５による空気清浄システムを示す模式的な断面図である。
【図２４】実施の形態６による空気清浄システムを示す模式的な断面図である。
【図２５】実施の形態６による空気清浄システムを示す模式的な断面図である。
【図２６】実施の形態６による空気清浄システムを示す模式的な断面図である。
【図２７】実施の形態６による空気清浄システムを示す模式的な断面図である。
【図２８】実施の形態６による空気清浄システムを示す模式的な断面図である。
【図２９】実施の形態６による空気清浄システムを示す模式的な断面図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組合わせ可能な構成のあらゆる組合わせを含み得る。
【００１１】
実施の形態１．
図１及び図２は、実施の形態１による空気清浄システムが備える第１ユニットを示す模式的な断面図である。図３は、実施の形態１による空気清浄システムが備える第２ユニット及び第３ユニットを示す模式的な断面図である。図４は、実施の形態１による空気清浄システムの機能ブロック図である。
【００１２】
本実施の形態１の空気清浄システムは、気流の経路として、第１の経路、第２の経路、第３の経路、及び第４の経路を形成可能な経路形成装置を備える。本実施の形態における経路形成装置は、図１及び図２に示す第１ユニット１、図３に示す第２ユニット２及び第３ユニット３により構成される。
【００１３】
図１に示すように、第１ユニット１は、本体４を備える。本体４は、本体４の内部と外部とを連通させる開口４ａ，４ｂ，４ｃを有する。開口４ａには、室内に連通するダクト（図示せず）が接続される。開口４ｂには、室内に連通する別のダクト（図示せず）が接続される。本体４の内部には、エアフィルタ５、ファン６、及びダンパ７が備えられている。エアフィルタ５は、除去対象物となる空気中の物質を捕集する機能を有する。
【００１４】
図３に示すように、第２ユニット２は、本体８を備える。本体８は、本体８の内部と外部とを連通させる開口８ａ，８ｂ，８ｃを有する。開口８ａは、ダクト（図示せず）を介して、第１ユニット１の本体４の開口４ｃと接続される。本体８の内部には、ダンパ９が備えられている。ダンパ９は、開口８ａと開口８ｂとの間を連通させる風路形態と、開口８ａと開口８ｃとの間を連通させる風路形態とを切り替えるものである。図３は、開口８ａと開口８ｂとの間を連通させる風路形態がダンパ９により形成された状態を示す。ダンパ７，９は、風路を切り替える風路切替手段の例である。
【００１５】
第３ユニット３は、本体１０及びバイパス風路１１を備える。本体１０は、本体１０の内部と外部とを連通させる開口１０ａ，１０ｂ，１０ｃ，１０ｄを有する。バイパス風路１１の一端は、本体１０に接続されている。バイパス風路１１の他端は、開口１１ａを有する。開口１０ａには、室内に連通するダクト（図示せず）が接続される。開口１０ｂは、ダクト（図示せず）を介して、第２ユニット２の本体８の開口８ｂと接続される。開口１０ｃには、室外に連通するダクト（図示せず）が接続される。開口１０ｄには、室外に連通する別のダクト（図示せず）が接続される。バイパス風路１１の開口１１ａは、ダクト（図示せず）を介して、第２ユニット２の本体８の開口８ｃと接続される。
【００１６】
本体１０の内部には、ファン１２，１３、及び熱交換装置１４が備えられている。熱交換装置１４は、排気流と給気流との間で熱を交換する。排気流は、室内から室外への空気の流れである。給気流は、室外から室内への空気の流れである。
【００１７】
熱交換装置１４は、熱交換素子により、排気流と給気流との間で熱を交換する。第３ユニット３は、排気流と給気流との間で熱を交換することで、室内の空気を空調したエネルギーのロスを抑制することができる熱交換換気扇に相当する。
【００１８】
図４に示すように、本実施の形態１の空気清浄システムは、再生装置１５、情報取得部１６、及び制御装置５０を備える。再生装置１５は、エアフィルタ５の性能を維持または回復させる再生処理を実行可能である。情報取得部１６は、室内及び室外の少なくとも一方に関する情報を取得する。情報取得部１６は、室内温度、室内湿度、室内汚染濃度、室外温度、室外湿度、及び室外汚染濃度、のうちの少なくとも一つの情報を取得してもよい。情報取得部１６は、室内温度、室内湿度、室内汚染濃度、室外温度、室外湿度、及び室外汚染濃度、のうちの少なくとも一つを検出する、少なくとも一つのセンサを備えてもよい。情報取得部１６は、図示しない外部機器とデータ通信を行うことで、上記の情報を取得してもよい。制御装置５０は、ファン６，１２，１３、ダンパ７，９、及び再生装置１５の各々の動作を制御する。制御装置５０は、情報取得部１６により取得した情報に基づいて、それらの動作を制御してもよい。
【００１９】
図１は、第１ユニット１により第１の経路が形成された状態を示す。第１の経路は、室内から吸い込まれてエアフィルタ５を通過して室内へ還流する空気が通る経路である。図１の状態では、以下のようになる。ファン６が運転される。室内から吸い込まれた空気が、開口４ａから本体４内に流入する。その空気は、エアフィルタ５及びファン６をこの順に通過した後、開口４ｂから本体４外へ出て、室内へ戻る。第１の経路を形成した場合には、室内の空気を繰り返し循環吸引し、汚染物などの除去対象物をエアフィルタ５に吸着させることで、室内の空気を浄化できる。
【００２０】
なお、理解を容易にするための便宜上、図１及びその他の図において、運転中のファンにはハッチングを付し、停止中のファンにはハッチングを付さないようにする。
【００２１】
図２は、第１ユニット１により第２の経路が形成された状態を示す。第２の経路は、再生装置１５の作動時に空気がエアフィルタ５を通過する経路である。再生装置１５の作動時には、以下のようになる。室内から吸い込まれた空気が、開口４ｂから本体４内に流入する。その空気は、停止中のファン６と、エアフィルタ５とをこの順に通過した後、開口４ｃから本体４外へ出て、上記ダクトを通過し、開口８ａから第２ユニット２の本体８内に流入する。ダンパ７により、図１の第１の経路と、図２の第２の経路とを切り替えることができる。
【００２２】
なお、理解を容易にするための便宜上、図２及びその他の図において、再生中のエアフィルタ５は、非再生中のエアフィルタ５に比べて、濃いハッチングを付して表す。
【００２３】
図３は、第３の経路及び第４の経路が形成された状態を示す。第３の経路では、排気流が、開口１０ｂ、熱交換装置１４、ファン１２、開口１０ｄの順に通過する。ファン１２を運転することで第３の経路の排気流が発生する。第４の経路は、給気流が、開口１０ｃ、熱交換装置１４、ファン１３、開口１０ａの順に通過する。ファン１３を運転することで第４の経路の給気流が発生する。
【００２４】
図２及び図３に示すように、再生装置１５の作動時にエアフィルタ５を通過した空気は、開口４ｃ、開口８ａ、開口８ｂ、開口１０ｂ、熱交換装置１４、ファン１２、及び開口１０ｄをこの順に通過するように流れる。このように、本実施の形態の空気清浄システムでは、再生装置１５の作動時に、第２の経路から第３の経路へ空気を流れさせることが可能である。
【００２５】
エアフィルタ５は、例えば、臭気成分、有害ガス、二酸化炭素、浮遊する微生物あるいはウイルス、水分、のうちの少なくとも一つを捕集及び除去する材料を含んで構成されたものでもよい。エアフィルタ５は、ガスを捕集する材料として、例えば、活性炭、ＭＯＦ（Ｍｅｔａｌ  Ｏｒｇａｎｉｃ  Ｆｒａｍｅｗｏｒｋ）、ＰＣＰ（Ｐｏｒｏｕｓ  Ｃｏｏｒｄｉｎａｔｉｏｎ Ｐｏｌｙｍｅｒ）などの、微細孔を有する吸着材、酸化マンガン、酸化チタンなどからなる触媒、二酸化炭素を吸脱着できるアルカリ金属含有ゼオライト、ＭＯＦ／ＰＣＰ、のうちの少なくとも一つを含んでもよい。エアフィルタ５は、微細化した粒子をハニカム状または短冊状の担体に担持した形態を有することが望ましい。そのような形態によれば、圧力損失を軽減でき、かつ、吸着及び再生がしやすくなる。
【００２６】
再生装置１５は、エアフィルタ５に捕集された物質を物理的に脱着させるように作動するものでもよい。再生装置１５は、エアフィルタ５に捕集された物質を化学的に分解して脱着させるように作動するものでもよい。活性炭などの吸着材、または熱触媒を用いたエアフィルタ５の場合には、再生装置１５は、ヒータのような加熱装置を備えてもよい。酸化チタンなどの光触媒を用いたエアフィルタ５の場合には、再生装置１５は、紫外線などの光をエアフィルタ５に照射する手段を備えてもよい。再生装置１５は、例えばオゾンなどの活性酸素を用いてエアフィルタ５を再生してもよい。
【００２７】
エアフィルタ５は、例えば、微生物あるいはウイルスを捕集する材料として、例えば、生体親和性が高いシリカ、アクリル繊維などの素材を用いたものでもよい。再生装置１５が、エアフィルタ５に捕集された微生物あるいはウイルスに対して、加熱、光照射、オゾン曝露のうちの少なくとも一つを行うことで、微生物あるいはウイルスの増殖能を消失または低減させることができるので、エアフィルタ５において汚染が増加することを防ぐことができる。
【００２８】
エアフィルタ５は、複合化、積層化、または多段化された複数種類のフィルタを備えるものでもよい。エアフィルタ５が複数種類のフィルタを備える場合には、エアフィルタ５を多機能化できる。
【００２９】
再生装置１５が加熱装置を備え、エアフィルタ５の吸着材として多孔質材料を用いる場合には、以下のようにすることが望ましい。風上側に設けた加熱装置によって空気及び吸着材の少なくとも一方を加熱し、エアフィルタ５からの脱着物が風下に流出するように構成することが望ましい。吸着材を均一に十分に加熱できるよう構成することが望ましい。吸着材は難燃性であることが望ましい。
【００３０】
エアフィルタ５に捕集できる物質の量には限界がある。エアフィルタ５に溜まった物質の量が多くなることで、エアフィルタ５の捕集性能が低下する場合がある。制御装置５０は、エアフィルタ５の捕集性能に関する情報に応じて、ダンパ７及び再生装置１５の動作を制御することで、自動的にエアフィルタ５を再生してもよい。エアフィルタ５の捕集性能に関する情報は、例えば、エアフィルタ５に通風した時間を積算した積算通風時間、エアフィルタ５を通過した風量を積算した積算通風量、通過させた室内空気の汚染濃度、エアフィルタ５の下流側に漏出する汚染濃度、のうちの少なくとも一つでもよい。制御装置５０は、エアフィルタ５の捕集性能に関する情報に基づき、エアフィルタ５を再生すべきタイミングになった場合に、ダンパ７によって第１の経路から第２の経路に切り替えるとともに再生装置１５を作動してもよい。
【００３１】
本実施の形態であれば、再生装置１５の作動時に、第２の経路から第３の経路へ空気を流れさせることが可能である。これにより、以下の効果が得られる。再生装置１５の作動時にエアフィルタ５を通過した空気は、排気流となり、室外へ排出される。エアフィルタ５から脱着した成分が室内に流入することを防止できる。オゾンなどの物質を再生時に用いる場合でも、その物質が室内に流入することを防止できる。再生装置１５の作動時にエアフィルタ５を通過した空気は、再生装置１５から受けたエネルギーにより、温度が上昇している。再生装置１５の作動時にエアフィルタ５を通過した空気が有する熱エネルギーを、熱交換装置１４によって、第４の経路の給気流へ与えることができる。このため、再生装置１５から発生したエネルギーのうちの少なくとも一部を、室内へ回収できるので、エアフィルタ５の再生に伴うエネルギーロスを抑制できる。
【００３２】
例えば、冬季に、室内を暖房によって加熱し、室外が冷たい空気である状況を想定する。この時、エアフィルタ５を再生するために室内空気はエアフィルタ５から脱着した物質とともに第２の経路を通じてダンパ９へと導かれ、第３の経路と連通することによって、熱交換装置１４を通過し、ファン１２によって排気される。また、ファン１３によって室外空気は熱交換装置１４を通過して、室内へと導かれる。熱交換装置１４において、室外空気すなわち給気流は、室内空気すなわち排気流によって加熱されて、室内へと導かれる。このため、エアフィルタ５の再生の排気に伴うエネルギーロスが抑制される。
【００３３】
熱交換装置１４において熱交換を行う界面を形成する素材は、熱は移動するが、汚染が移動しないような素材、すなわち、一般に顕熱交換に用いる素材とすることが望ましい。そのような素材としては、例えば、ガス透過性が乏しく、空気通過抵抗が大きい、密なポリプロピレンなどの繊維からなる不織布薄膜、無孔性のポリテトラフルオロエチレン製シート、金属膜、などが挙げられる。
【００３４】
本実施の形態の空気清浄システムは、第５の経路をさらに形成可能である。第５の経路は、図３中、破線で示される。第５の経路は、排気流が熱交換装置１４を通過しないようにする経路である。ダンパ９により、第３の経路と、第５の経路とを切り替えることができる。開口８ａと開口８ｃとの間を連通させる風路形態をダンパ９が形成することで、第５の経路が形成される。第５の経路が形成された場合には、第１ユニット１からの排気流が、開口８ａ、開口８ｃ、開口１１ａ、バイパス風路１１、ファン１２、及び開口１０ｄをこの順に通過するように流れて、室外へ排出される。
【００３５】
本実施の形態であれば、再生装置１５の作動時に、第２の経路から第５の経路へ空気を流れさせることが可能である。そのようにすることで、エアフィルタ５の再生時に排気流と給気流が熱交換装置１４で熱交換しないようにすることが可能である。
【００３６】
空調を動作させない中間期あるいは夏季などで、給気流と排気流の温度差が小さい状況を想定する。そのような状況において、エアフィルタ５の再生時に排気流と給気流が熱交換装置１４で熱交換すると、室外から室内へ導入される空気の温度が、不必要に上昇するケースが考えられる。本実施の形態であれば、そのような状況において、エアフィルタ５の再生時に排気流と給気流が熱交換装置１４で熱交換しないようにすることで、室外から室内へ導入される空気の温度の不必要な上昇を回避できる。
【００３７】
室内及び室外の温度及び湿度、あるいは天候によっては、熱交換装置１４で熱交換すると、熱交換装置１４内に結露が生ずる場合がある。熱交換装置１４内に結露が生ずることは、凍結などによる弊害が起こる可能性があるため、好ましくない。本実施の形態であれば、そのような場合に、エアフィルタ５の再生時に排気流と給気流が熱交換装置１４で熱交換しないようにすることで、熱交換装置１４内に結露が生ずることを回避できる。
【００３８】
制御装置５０は、再生装置１５の作動時に、情報取得部１６により取得した情報、例えば室内温度情報及び室外温度情報に応じて、ダンパ９により、第３の経路か第５の経路かを選択してもよい。その際、制御装置５０は、室内の快適感を維持するための空調負荷の増加が抑制されるように、第３の経路か第５の経路かを選択してもよい。
【００３９】
本実施の形態であれば、室内の空気清浄を行うためのエアフィルタ５の性能を長期間にわたって維持することが可能となる。また、エアフィルタ５の性能を維持するための再生動作時の排熱ロスを抑制でき、省エネルギーな空気清浄と換気とを両立することができる。
【００４０】
制御装置５０は、ファン６，１２，１３、ダンパ７，９のうちの少なくとも一つの動作を制御することで、第１の経路、第２の経路、第３の経路、及び第４の経路のうちの少なくとも一つの風量を制御できる。制御装置５０は、室内温度、室内湿度、室内汚染濃度、室外温度、室外湿度、及び室外汚染濃度、のうちの少なくとも一つの情報に応じて、第１の経路、第２の経路、第３の経路、及び第４の経路のうちの少なくとも一つの風量を、連続的または段階的に変更してもよい。風量を可変にすることで、きめ細かい制御が可能となる。第１の経路の風量は、第３の経路の風量より大きく、かつ、第４の経路の風量より大きいことが望ましい。第３の経路及び第４の経路は、室内と室外との間の長いダクトに気流を発生させるため、通風抵抗が大きい。第３の経路及び第４の経路の風量を比較的低くすることで、ファンの消費電力及び騒音を低減できる。第１の経路は、第３の経路及び第４の経路に比べて、通風抵抗が小さいので、風量を高くしても、ファンの消費電力及び騒音は大きくなりにくい。第１の経路の風量を比較的高くすることで、室内空気をより迅速に浄化できる。制御装置５０は、室内汚染濃度が基準に比べて低い場合には、第１の経路に通風せず、第３の経路及び第４の経路に通風する制御してもよい。室内汚染濃度が低く、空気清浄の必要性が低い場合に、ファン６を停止することで、省エネルギーが図れる。
【００４１】
制御装置５０は、以下のように構成されてもよい。制御装置５０の各機能は、処理回路により実現されてもよい。制御装置５０の処理回路は、少なくとも１つのプロセッサ５１と少なくとも１つのメモリ５２とを備えてもよい。処理回路が少なくとも１つのプロセッサ５１と少なくとも１つのメモリ５２とを備える場合、制御装置５０の各機能は、ソフトウェア、ファームウェア、またはソフトウェアとファームウェアとの組み合わせにより実現されてもよい。ソフトウェア及びファームウェアの少なくとも一方は、プログラムとして記述されてもよい。ソフトウェア及びファームウェアの少なくとも一方は、少なくとも１つのメモリ５２に格納されてもよい。少なくとも１つのプロセッサ５１は、少なくとも１つのメモリ５２に記憶されたプログラムを読み出して実行することにより、制御装置５０の各機能を実現してもよい。少なくとも１つのメモリ５２は、不揮発性または揮発性の半導体メモリ、磁気ディスク等を含んでもよい。
【００４２】
制御装置５０の処理回路は、少なくとも１つの専用のハードウェアを備えてもよい。処理回路が少なくとも１つの専用のハードウェアを備える場合、処理回路は、例えば、単一回路、複合回路、プログラム化したプロセッサ５１、並列プログラム化したプロセッサ５１、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはこれらを組み合わせたものでもよい。制御装置５０の各部の機能がそれぞれ処理回路で実現されてもよい。また、制御装置５０の各部の機能がまとめて処理回路で実現されてもよい。制御装置５０の各機能について、一部を専用のハードウェアで実現し、他の一部をソフトウェアまたはファームウェアで実現してもよい。処理回路は、ハードウェア、ソフトウェア、ファームウェア、またはこれらの組み合わせによって、制御装置５０の各機能を実現してもよい。単一の制御装置により動作が制御される構成に限定されるものではなく、複数の制御装置が連携することで動作を制御する構成にしてもよい。
【００４３】
実施の形態２．
次に、図５から図１０を参照して、実施の形態２について説明するが、前述した実施の形態１との相違点を中心に説明し、前述した要素と共通または対応する要素には、同一の符号を付して、重複する説明を簡略化または省略する。図５から図１０は、実施の形態２による空気清浄システム１７を示す模式的な断面図である。
【００４４】
本実施の形態２の空気清浄システム１７は、実施の形態１の空気清浄システムと比べて、空気清浄を行うユニットと熱交換換気を行うユニットとを一体化することで装置全体を小型化できるとともに、搭載するファンの数を減らすことが可能となる。
【００４５】
図５に示すように、本実施の形態２の空気清浄システム１７は、気流の経路として、第１の経路、第２の経路、第３の経路、及び第４の経路を形成可能な経路形成装置１８を備える。経路形成装置１８は、経路形成装置１８の内部と外部とを連通させる開口１８ａ，１８ｂ，１８ｃ，１８ｄを有する。経路形成装置１８は、その内部に、ファン１９，２０及びダンパ２１，２２を備える。
【００４６】
経路形成装置１８の開口１８ａには、室内に連通するダクト（図示せず）が接続される。開口１８ｂには、室内に連通する別のダクト（図示せず）が接続される。開口１８ｃには、室外に連通するダクト（図示せず）が接続される。開口１８ｄには、室外に連通する別のダクト（図示せず）が接続される。
【００４７】
空気清浄システム１７は、経路形成装置１８の内部に配置されたエアフィルタ５、熱交換装置１４、及び再生装置１５を備える。本実施の形態では、再生装置１５については図示を省略する。空気清浄システム１７は、実施の形態１と同様の制御装置５０及び情報取得部１６を備えてもよい。空気清浄システム１７の機能ブロック図は、実施の形態１と類似であるので、図示を省略する。
【００４８】
ここで、換気の形式について説明する。換気には、第１種換気、第２種換気、第３種換気がある。それぞれの換気形式には、以下のようなメリットがあり、室内の快適性をより向上するために、換気形式を選択できることが望ましい。換気形式の選択は、ユーザーあるいは設置業者が行ってもよい。また、制御装置５０が、情報取得部１６により取得した情報、例えば室内及び室外の清浄度または汚染濃度に関する情報、温度及び湿度の情報などに応じて、最適な換気形式と熱交換装置１４による熱交換の有無とを選定してもよい。
【００４９】
第１種換気は、以下のようなものである。給気と排気の双方にファンを用いる。給気経路及び排気経路がそれぞれ確保され、ファンの制御により、給気風量と排気風量とが実質的に等しくなるようにでき、室内の陽圧化及び陰圧化を防止できる。給気経路にフィルタを設けると外気の汚染が侵入しないことから室内の清浄を保てる。室内の汚染を確実に排気できる。ドアの開閉がしにくくならない。隙間風によるドラフト感及び音の発生を防止できる。これらのことから、快適性を維持しやすい。
【００５０】
第２種換気は、以下のようなものである。給気にファンを用い、排気にはファンを用いない。室内が陽圧化しやすい。排気は、部屋構造体の隙間などから行われる。給気経路にフィルタを設けると外気の汚染が侵入しないことから室内の清浄を保てる。ドア開閉力への影響が生ずる。室内気圧が上昇することにより内壁に結露しやすくなる。
【００５１】
第３種換気は、以下のようなものである。排気にファンを用い、給気にはファンを用いない。室内が陰圧化しやすい。給気は、部屋構造体の隙間などから行われる。室内の汚染を確実に排出できる。外気汚染の侵入を防止できない。ドア開閉力への影響がある。
【００５２】
図５は、空気清浄システム１７において第１の経路が形成された状態を示す。第１の経路は、室内から吸い込まれてエアフィルタ５を通過して室内へ戻る空気が通る経路である。図５に示す状態では、以下のようになる。ダンパ２１は、給気経路を閉鎖する。ダンパ２２は、排気経路を閉鎖する。これにより、経路形成装置１８では室内に通じる風路と室外に通じる風路とが連通しない状態になる。ファン１９が運転される。室内から吸い込まれた空気が、開口１８ａから経路形成装置１８内に流入する。その空気は、エアフィルタ５及びファン１９をこの順に通過した後、開口１８ｂから経路形成装置１８外へ出て、室内へ戻る。第１の経路を形成した場合には、室内の空気を繰り返し循環吸引し、汚染物などの除去対象物をエアフィルタ５に吸着させることで、室内の空気を浄化できる。
【００５３】
上述した図５の状態は、換気を必要とせず、室内空気を清浄化したい場合に適する。例えば、室内に人がいない状態のとき、あるいは、熱交換換気を行うと熱交換装置１４内に結露するような室内及び室外の空気条件のときには、図５の状態を選択するとよい。
【００５４】
図６は、空気清浄システム１７において第４の経路が形成された状態を示す。第４の経路は、給気流の風路となる。図６の状態では、以下のようになる。ダンパ２１が開くことで給気経路が開通する。ファン１９が運転される。室外から吸い込まれた空気は、開口１８ｄから経路形成装置１８内に流入し、エアフィルタ５、ファン１９、開口１８ｂを通過し、室内へ導入される。このように、本実施の形態であれば、エアフィルタ５を通過する第４の経路を形成可能であるので、エアフィルタ５を通過した清浄給気を伴う換気を行うことができる。排気用のファン２０は停止しているため、室内は加圧されている状態となり、部屋構造体の隙間などから室外への排気が行われる。
【００５５】
上述した図６の状態は、熱交換装置１４による熱交換をしない第２種換気の状況といえる。例えば、室内に高濃度な汚染はないが、換気を必要とし、かつ、熱交換換気を行うと熱交換装置１４内に結露するような室内及び室外の空気条件のときには、図６の状態を選択するとよい。
【００５６】
図７は、空気清浄システム１７において第１の経路及び第４の経路が共に形成された状態を示す。図７の状態では、以下のようになる。ダンパ２１の開度は、給気経路を開通し、かつ第１の経路が形成されるように操作される。ダンパ２２は、排気経路を閉鎖する。ファン１９が運転される。図５で説明した室内循環空気清浄の気流と、図６で説明した清浄給気の気流とが共に発生する。ファン１９の動作速度と、ダンパ２１の開度とを制御することにより、第１の経路による室内循環空気清浄の風量と、第４の経路による換気風量とを制御することができる。
【００５７】
例えば、エアフィルタ５では除去できない種類の汚染が室内に存在する場合に、図７の状態を選択することで、ファン１９による給気によって部屋構造体の隙間からの排気を促し、室内を清浄化することができる。
【００５８】
図８は、空気清浄システム１７において第３の経路及び第４の経路が共に形成された状態を示す。図８の状態では、以下のようになる。ダンパ２１が開くことで給気経路が開通する。ダンパ２２が開くことで排気経路が開通する。ファン１９，２０が運転される。第３の経路の排気流は、開口１８ａ、熱交換装置１４、ファン２０、開口１８ｃの順に通過する。第４の経路の給気流は、開口１８ｄ、熱交換装置１４、エアフィルタ５、ファン１９、開口１８ｂの順に通過する。排気流の風量と、給気流の風量とが実質的に等しくなるように、ファン１９，２０が運転されることが望ましい。本実施の形態であれば、排気流がエアフィルタ５を通過しない第３の経路を形成可能であるので、排気流に含まれる物質がエアフィルタ５に蓄積することがなく、エアフィルタ５のメンテナンス間隔を長くできる。
【００５９】
上述した図８の状態は、熱交換装置１４による熱交換を伴う第１種換気に相当する。図８の状態であれば、以下の効果が得られる。排気流と給気流が熱交換することで、換気を省エネルギーに実現できる。エアフィルタ５を用いた清浄給気を実現できる。
【００６０】
図９は、空気清浄システム１７において第２の経路及び第３の経路が共に形成された状態を示す。図９は、再生装置１５を作動してエアフィルタ５を再生するときの状態を示す。図９の状態では、以下のようになる。ダンパ２１が給気経路を閉鎖する。ダンパ２２は、開口１８ａに通じる風路を閉鎖する。ファン２０が運転される。室内から吸い込まれた空気は、開口１８ｂから流入し、停止中のファン１９と、エアフィルタ５とをこの順に通過する。この経路が第２の経路に相当する。第２の経路から第３の経路へ空気が流れることができる。すなわち、エアフィルタ５を通過してエアフィルタ５からの脱着成分を含む空気は、熱交換装置１４、ファン２０、開口１８ｃの順に通過し、室外へ排出される。
【００６１】
図９に示す状態では、給気経路がダンパ２１により閉鎖されているため、室内は減圧されている状態となり、部屋構造体の隙間から室内へと給気が行われる。図９に示す状態は、熱交換装置１４による熱交換をしない第３種換気に相当する。例えば、エアフィルタ５の再生時に熱交換して給気すると室内の快適性が損なわれる場合には、図９に示す状態を選択するとよい。また、熱交換装置１４の熱交換素子の材料として、全熱交換しやすいが、熱交換とともに汚染が熱交換隔膜を通過して室内に流入する可能性がある材料が選定されている場合には、エアフィルタ５の再生時に図９に示す状態を選択するとよい。
【００６２】
図１０は、空気清浄システム１７において第２の経路、第３の経路及び第４の経路が共に形成された状態を示す。図１０は、再生装置１５を作動してエアフィルタ５を再生するときの状態を示す。経路形成装置１８は、エアフィルタ５を移動させるフィルタ移動機構（図示せず）を備える。このフィルタ移動機構は、開口１８ｂに連通する風路にエアフィルタ５が配置される位置から、開口１８ａに連通する風路にエアフィルタ５が配置される位置へ、エアフィルタ５を移動可能である。フィルタ移動機構は、例えば、エアフィルタ５を支持するフィルタホルダ、フィルタホルダの移動を案内するレール、移動の動力を提供するモーター及びギヤ、風路間での空気漏れを防ぐシール部材、などを備える機構によって実現できる。フィルタ移動機構は、エアフィルタ５を、平行移動させるものでもよいし、回転移動させるものでもよい。
【００６３】
図１０に示す状態では、以下のようになる。開口１８ａに連通する風路にエアフィルタ５が配置されるように、フィルタ移動機構によりエアフィルタ５が移動される。ダンパ２１が開くことで給気経路が開通する。ダンパ２２が開くことで排気経路が開通する。ファン１９，２０が運転される。再生装置１５が作動する。室内から吸い込まれた空気は、開口１８ａから流入し、エアフィルタ５を通過する。この経路が第２の経路に相当する。第２の経路から第３の経路へ空気が流れることができる。すなわち、エアフィルタ５を通過してエアフィルタ５からの脱着成分を含む空気は、熱交換装置１４、ファン２０、開口１８ｃの順に通過し、室外へ排出される。第４の経路の給気流は、開口１８ｄ、熱交換装置１４、ファン１９、開口１８ｂの順に通過する。
【００６４】
上述した図１０の状態は、熱交換装置１４による熱交換を伴う第１種換気に相当する。図１０に示す状態であれば、以下の効果が得られる。再生装置１５の作動時にエアフィルタ５を通過した空気が有する熱エネルギーを、熱交換装置１４によって、第４の経路の給気流へ与えることができる。このため、再生装置１５から発生したエネルギーのうちの少なくとも一部を、室内へ回収できるので、エアフィルタ５の再生に伴うエネルギーロスを抑制できる。
【００６５】
以上説明したように、実施の形態２であれば、上記の多様な運転形態が可能であるとともに、２個のファン１９，２０及び２個のダンパ２１，２２という、少ない数のファン及びダンパを用いた構成であるので、装置全体の小型化・軽量化が可能となり、良好な施工性及び設置性が得られる。制御装置５０は、室内温度、室内湿度、室内汚染濃度、室外温度、室外湿度、及び室外汚染濃度、のうちの少なくとも一つの情報に応じて、図５から図１０に示す動作のうちから、実行する動作を選択してもよい。
【００６６】
本実施の形態では、ファン２０の送風方向を逆転できるように構成してもよい。そのように構成した場合には、エアフィルタ５の再生を以下のようにして行うことが可能になる。ダンパ２１，２２の位置を図６に示す位置と同じ位置にした状態で、再生装置１５を作動し、ファン２０の送風方向を逆転させる。そうすると、開口１８ｂ、エアフィルタ５、熱交換装置１４、開口１８ｄの順に通過する排気流が発生して第３種換気の状況となり、エアフィルタ５から脱着した成分を含む空気が室外へ排出される。また、室内が陰圧になることで自然発生する給気流が、開口１８ｃ、停止中のファン２０、熱交換装置１４、開口１８ａの順に通過する。このような状態になることで、再生装置１５の作動時にエアフィルタ５を通過した排気流が有する熱エネルギーを、熱交換装置１４によって、給気流へ与えることができる。このため、再生装置１５から発生したエネルギーのうちの少なくとも一部を、室内へ回収できるので、エアフィルタ５の再生に伴うエネルギーロスを抑制できる。
【００６７】
実施の形態３．
次に、図１１から図１６を参照して、実施の形態３について説明するが、前述した実施の形態２との相違点を中心に説明し、前述した要素と共通または対応する要素には、同一の符号を付して、重複する説明を簡略化または省略する。図１１から図１６は、実施の形態３による空気清浄システム２３を示す模式的な断面図である。
【００６８】
本実施の形態３の空気清浄システム２３は、実施の形態２の空気清浄システム１７と比べて、フィルタ移動機構を備えず、ファン２４を備える点で異なる。空気清浄システム２３は、実施の形態１と同様の制御装置５０及び情報取得部１６を備えてもよい。空気清浄システム２３の機能ブロック図は、実施の形態１と類似であるので、図示を省略する。空気清浄システム２３の図１１から図１５の動作状態は、それぞれ、図５から図９と同様であるので、説明を省略する。図１１から図１５の状態では、ファン２４は運転されない。
【００６９】
図１６は、空気清浄システム２３において第２の経路、第３の経路及び第４の経路が共に形成された状態を示す。図１６は、再生装置１５を作動してエアフィルタ５を再生するときの状態を示す。図１６に示す状態では、以下のようになる。ファン２４が運転されることで、開口１８ｃ、熱交換装置１４、ファン２４の順に通過する給気流が発生し、第２種換気の状態になり、室内が陽圧になる。室内が陽圧になることで、以下のような排気流が自然発生する。室内の空気が開口１８ｂから流入し、エアフィルタ５を通過する。この経路が第２の経路に相当する。第２の経路から第３の経路へ空気が流れることができる。すなわち、エアフィルタ５を通過してエアフィルタ５からの脱着成分を含む空気は、熱交換装置１４、開口１８ｄの順に通過し、室外へ排出される。図１６の状態であれば、再生装置１５の作動時にエアフィルタ５を通過した排気流が有する熱エネルギーを、熱交換装置１４によって、給気流へ与えることができる。このため、再生装置１５から発生したエネルギーのうちの少なくとも一部を、室内へ回収できるので、エアフィルタ５の再生に伴うエネルギーロスを抑制できる。
【００７０】
隙間給気が必要な第３種換気を行った場合、高気密住宅では給気不足となり、室内が陰圧化してドアが開閉しにくくなることがある。これに対し、本実施の形態３であれば、図１６のように、第２種換気の状態でエアフィルタ５を再生できるので、ドアが開閉しにくくなることがない。
【００７１】
本実施の形態３は、実施の形態２と比べて、ファン２４の追加が必要であるが、フィルタ移動機構が不要であるので、構成を簡素化できる。制御装置５０は、室内温度、室内湿度、室内汚染濃度、室外温度、室外湿度、及び室外汚染濃度、のうちの少なくとも一つの情報に応じて、図１１から図１６に示す動作のうちから、実行する動作を選択してもよい。
【００７２】
実施の形態４．
次に、図１７から図２２を参照して、実施の形態４について説明するが、前述した実施の形態３との相違点を中心に説明し、前述した要素と共通または対応する要素には、同一の符号を付して、重複する説明を簡略化または省略する。図１７から図２２は、実施の形態４による空気清浄システム２５を示す模式的な断面図である。
【００７３】
本実施の形態４の空気清浄システム２５が備える経路形成装置１８は、実施の形態３の経路形成装置１８と比べて、開口１８ｅ，１８ｆ及びバイパス風路１８ｇをさらに備える。開口１８ｅには、室内に連通するダクト（図示せず）が接続される。開口１８ｆには、室外に連通するダクト（図示せず）が接続される。バイパス風路１８ｇは、開口１８ｅと開口１８ｆとの間をつなぐ。バイパス風路１８ｇは、熱交換装置１４を通らない経路を形成する。
【００７４】
本実施の形態４の空気清浄システム２５は、実施の形態３の空気清浄システム２３と比べて、ファン２６及びダンパ２７をさらに備える。ファン２６が運転されると、開口１８ｆから室外へ排出される排気流が発生する。図１７から図２０の状態では、ダンパ２７は、エアフィルタ５及び熱交換装置１４に通じる風路と、バイパス風路１８ｇとの間を遮断している。空気清浄システム２５の図１７及び図２０の動作状態は、それぞれ、図５及び図８と同様であるので、説明を省略する。空気清浄システム２５は、実施の形態１と同様の制御装置５０及び情報取得部１６を備えてもよい。空気清浄システム２５の機能ブロック図は、実施の形態１と類似であるので、図示を省略する。
【００７５】
図１８は、空気清浄システム２５において第４の経路及び第５の経路が共に形成された状態を示す。第４の経路は、給気流の風路となる。第５の経路は、熱交換装置１４を通過しない排気流の経路である。第５の経路は、バイパス風路１８ｇにより形成される。図１８の状態では、以下のようになる。ダンパ２１が開くことで給気経路が開通する。ファン１９，２６が運転される。室外から吸い込まれた空気は、開口１８ｄから経路形成装置１８内に流入し、エアフィルタ５、ファン１９、開口１８ｂを通過し、室内へ導入される。室内から吸い込まれた空気は、開口１８ｅから経路形成装置１８内に流入し、バイパス風路１８ｇを通過し、室外へ排出される。図１８の状態は、エアフィルタ５を通過した清浄給気を行い、熱交換装置１４による熱交換をしない、第１種換気の状態となる。
【００７６】
図１９は、空気清浄システム２５において第１の経路、第４の経路及び第５の経路が共に形成された状態を示す。図１９の状態では、以下のようになる。ダンパ２１の開度は、給気経路を開通し、かつ第１の経路が形成されるように操作される。ダンパ２２は、排気経路を閉鎖する。ファン１９，２６が運転される。図１７のような室内循環空気清浄の気流と、図１８で説明した給気流及び排気流とが共に発生する。
【００７７】
図２１は、空気清浄システム２５において第２の経路、第４の経路及び第５の経路が共に形成された状態を示す。図２１は、再生装置１５を作動してエアフィルタ５を再生するときの状態を示す。図２１に示す状態では、以下のようになる。エアフィルタ５に通じる風路と、開口１８ｆとの間が開通するとともに、開口１８ｅに通じる風路をダンパ２７が閉鎖する。ダンパ２１が閉じる。ダンパ２２が開く。ファン２４，２６が運転される。再生装置１５が作動する。室内から吸い込まれた空気は、開口１８ｂから流入し、エアフィルタ５を通過する。この経路が第２の経路に相当する。第２の経路から第５の経路へ空気が流れることができる。すなわち、エアフィルタ５を通過してエアフィルタ５からの脱着成分を含む空気は、ダンパ２７、ファン２６、開口１８ｆの順に通過し、室外へ排出される。第４の経路の給気流は、開口１８ｃ、熱交換装置１４、ファン２４、開口１８ａの順に通過する。上述した図２１の状態は、熱交換装置１４による熱交換を伴わない第１種換気に相当する。
【００７８】
図２２は、空気清浄システム２５において第２の経路、第３の経路及び第４の経路が共に形成された状態を示す。図２２は、再生装置１５を作動してエアフィルタ５を再生するときの状態を示す。図２２に示す状態では、以下のようになる。熱交換装置１４に通じる風路と、開口１８ｅとの間が開通するとともに、開口１８ｆに通じる風路をダンパ２７が閉鎖する。ダンパ２２は、ファン２４及び開口１８ａに通じる風路を閉鎖する。ファン２０が運転される。再生装置１５が作動する。室内から吸い込まれた空気は、開口１８ｂから流入し、エアフィルタ５を通過する。この経路が第２の経路に相当する。第２の経路から第３の経路へ空気が流れることができる。すなわち、エアフィルタ５を通過してエアフィルタ５からの脱着成分を含む空気は、熱交換装置１４、ファン２０、開口１８ｃの順に通過し、室外へ排出される。このようなファン２０による排気流により、第３種換気の状態になり、室内が陰圧になる。室内が陰圧になることで、以下のような第４の経路の給気流が自然発生する。給気流は、開口１８ｄ、熱交換装置１４、開口１８ｅの順に通過し、室内に導入される。
【００７９】
図２２に示す状態であれば、以下の効果が得られる。再生装置１５の作動時にエアフィルタ５を通過した空気が有する熱エネルギーを、熱交換装置１４によって、第４の経路の給気流へ与えることができる。このため、再生装置１５から発生したエネルギーのうちの少なくとも一部を、室内へ回収できるので、エアフィルタ５の再生に伴うエネルギーロスを抑制できる。
【００８０】
本実施の形態４であれば、以下の効果が得られる。第１種換気、第２種換気、第３種換気の選択と、熱交換装置１４による熱交換の有無の選択との組み合わせの自由度を高くすることが可能となる。このため、室内及び室外の状況に応じて、最適な換気、空気清浄、フィルタ再生の条件を設定でき、室内空気質の維持と省エネルギーとの両立を、より一層実施しやすくすることが可能になる。制御装置５０は、室内温度、室内湿度、室内汚染濃度、室外温度、室外湿度、及び室外汚染濃度、のうちの少なくとも一つの情報に応じて、図１７から図２２に示す動作のうちから、実行する動作を選択してもよい。
【００８１】
実施の形態５．
次に、図２３を参照して、実施の形態５について説明するが、前述した実施の形態４との相違点を中心に説明し、前述した要素と共通または対応する要素には、同一の符号を付して、重複する説明を簡略化または省略する。図２３は、実施の形態５による空気清浄システム２８を示す模式的な断面図である。本実施の形態５の空気清浄システム２８は、実施の形態４の空気清浄システム２５と比べて、ファン２６を備えず、かつファン２９を備える点で異なる。空気清浄システム２８は、実施の形態１と同様の制御装置５０及び情報取得部１６を備えてもよい。空気清浄システム２８の機能ブロック図は、実施の形態１と類似であるので、図示を省略する。
【００８２】
図２３は、空気清浄システム２８において第２の経路、第３の経路及び第４の経路が共に形成された状態を示す。図２３は、再生装置１５を作動してエアフィルタ５を再生するときの状態を示す。図２３に示す状態では、以下のようになる。ファン２４が運転されることで、開口１８ｃ、熱交換装置１４、ファン２４の順に通過する給気流が発生する。ファン２９が運転されることで、以下のような排気流が発生する。室内の空気が開口１８ｂから流入し、エアフィルタ５を通過する。この経路が第２の経路に相当する。第２の経路から第３の経路へ空気が流れることができる。すなわち、エアフィルタ５を通過してエアフィルタ５からの脱着成分を含む空気は、熱交換装置１４、開口１８ｄの順に通過し、室外へ排出される。
【００８３】
図２３の状態であれば、再生装置１５の作動時にエアフィルタ５を通過した排気流が有する熱エネルギーを、熱交換装置１４によって、給気流へ与えることができる。このため、再生装置１５から発生したエネルギーのうちの少なくとも一部を、室内へ回収できるので、エアフィルタ５の再生に伴うエネルギーロスを抑制できる。
【００８４】
図２３の状態は、第１種換気の状態となる。図２３の状態からファン２９を停止してファン２４のみを運転した場合には、第２種換気の状態となる。図２３の状態からファン２４を停止してファン２９のみを運転した場合には、第３種換気の状態となる。また、ファン２４の風量と、ファン２９の風量とを制御することで、給気流の風量と排気流の風量とのバランスを変更できる。制御装置５０は、排気流の風量より給気流の風量が高くなるようにファン２４，２９の運転を制御してもよい。制御装置５０は、排気流の風量より給気流の風量が低くなるようにファン２４，２９の運転を制御してもよい。制御装置５０は、室内温度、室内湿度、室内汚染濃度、室外温度、室外湿度、及び室外汚染濃度、のうちの少なくとも一つの情報に応じて、給気流の風量と排気流の風量とのバランスを変更してもよい。
【００８５】
実施の形態６．
次に、図２４から図２９を参照して、実施の形態６について説明するが、前述した実施の形態４及び５との相違点を中心に説明し、前述した要素と共通または対応する要素には、同一の符号を付して、重複する説明を簡略化または省略する。図２４から図２９は、実施の形態６による空気清浄システム３０を示す模式的な断面図である。
【００８６】
本実施の形態６の空気清浄システム３０は、実施の形態４の空気清浄システム２５と比べて、ファン２９をさらに備える点で異なる。すなわち、空気清浄システム３０は、五個のファン１９，２０，２４，２６，２９を備える。空気清浄システム３０は、実施の形態１と同様の制御装置５０及び情報取得部１６を備えてもよい。空気清浄システム３０の機能ブロック図は、実施の形態１と類似であるので、図示を省略する。
【００８７】
本実施の形態６の空気清浄システム３０は、実施の形態２から実施の形態５で説明したすべての動作状態を実行可能である。空気清浄システム３０の図２４から図２８の動作状態は、それぞれ、図１７から図２１と同様であるので、説明を省略する。空気清浄システム３０の図２９の動作状態は、図２３と同様であるので、説明を省略する。制御装置５０は、室内温度、室内湿度、室内汚染濃度、室外温度、室外湿度、及び室外汚染濃度、のうちの少なくとも一つの情報に応じて、図２４から図２９に示す動作のうちから、実行する動作を選択してもよい。
【００８８】
仮に、循環空気清浄用の第１のファンと、エアフィルタ５を通して排気するための第２のファンと、熱交換装置１４を通して排気するための第３のファンと、熱交換装置１４を通して給気するための第４のファンと、熱交換装置１４を通さずに排気するための第５のファンと、熱交換装置１４を通さずに給気するための第６のファンとを備えるとすると、６個のファンが必要になる。これに対し、上述した各実施の形態であれば、ファンの数をそれよりも少なくしつつ、６個のファンを備える構成に近い、多様な動作状態が可能になる。よって、装置サイズの小型化及び低コスト化に有利になる。
【符号の説明】
【００８９】
１  第１ユニット、  ２  第２ユニット、  ３  第３ユニット、  ４  本体、  ５  エアフィルタ、  ６  ファン、  ７  ダンパ、  ８  本体、  ９  ダンパ、  １０  本体、  １１  バイパス風路、  １２，１３  ファン、  １４  熱交換装置、  １５  再生装置、  １６  情報取得部、  １７  空気清浄システム、  １８  経路形成装置、  １９，２０  ファン、  ２１，２２  ダンパ、  ２３  空気清浄システム、  ２４  ファン、  ２５  空気清浄システム、  ２６  ファン、  ２７  ダンパ、  ２８  空気清浄システム、  ２９  ファン、  ３０  空気清浄システム、  ５０  制御装置、  ５１  プロセッサ、  ５２  メモリ
【図１】
2018035984.tif 000003
【図２】
2018035984.tif 000004
【図３】
2018035984.tif 000005
【図４】
2018035984.tif 000006
【図５】
2018035984.tif 000007
【図６】
2018035984.tif 000008
【図７】
2018035984.tif 000009
【図８】
2018035984.tif 000010
【図９】
2018035984.tif 000011
【図１０】
2018035984.tif 000012
【図１１】
2018035984.tif 000013
【図１２】
2018035984.tif 000014
【図１３】
2018035984.tif 000015
【図１４】
2018035984.tif 000016
【図１５】
2018035984.tif 000017
【図１６】
2018035984.tif 000018
【図１７】
2018035984.tif 000019
【図１８】
2018035984.tif 000020
【図１９】
2018035984.tif 000021
【図２０】
2018035984.tif 000022
【図２１】
2018035984.tif 000023
【図２２】
2018035984.tif 000024
【図２３】
2018035984.tif 000025
【図２４】
2018035984.tif 000026
【図２５】
2018035984.tif 000027
【図２６】
2018035984.tif 000028
【図２７】
2018035984.tif 000029
【図２８】
2018035984.tif 000030
【図２９】
2018035984.tif 000031